(57)【特許請求の範囲】
【請求項１】
画像形成するための回転駆動される像担持体を有し、それぞれ異なる色の画像を形成する複数の画像形成部と、前記複数の画像形成部の像担持体に順次接触するように走行駆動される中間記録媒体と、カラー画像形成時には前記中間記録媒体を介して前記像担持体に圧接して前記複数の画像形成部の像担持体に形成される異なる色の画像を前記中間記録媒体に転写して多重画像を形成し、白黒画像形成時には前記複数の画像形成部のうちの黒色以外の画像形成部の像担持体から離間する一次転写手段と、記録材を介して前記中間記録媒体に圧接して中間記録媒体上の画像を記録材に転写する二次転写手段と、を備え、白黒画像形成時には黒色以外の画像形成部の像担持体を非駆動状態にする画像形成装置において、
黒色以外の画像形成部の像担持体の非駆動状態になってからの非駆動状態時間が、それぞれ設定した回転するまでの時間に達した際、これらの像担持体をそれぞれ所定時間回転させる制御モードを有し、
前記制御モードにおいて白黒画像形成中の場合は黒色以外の画像形成部の像担持体の回転開始もしくは回転停止のタイミングの少なくとも一方を黒色の画像形成部の像担持体の回転開始もしくは回転停止に同期させること、および、黒色以外の画像形成部の像担持体の非駆動状態になってからの非駆動状態時間に応じて、これらの像担持体の回転する時間を変更することを特徴とする画像形成装置。
【請求項２】
黒色以外の画像形成部の像担持体の非駆動状態になってからの非駆動状態時間が、設定した回転するまでの時間に達した際、白黒画像形成中であっても、これらの像担持体から一次転写手段が離間されている状態である時、これらの像担持体を所定時間回転させることを特徴とする請求項１に記載の画像形成装置。
【請求項３】
黒色以外の画像形成部の像担持体の非駆動状態になってからの非駆動状態時間が、設定した回転するまでの時間に達し、かつ、白黒画像形成中に次のジョブが画像形成装置に送られた場合、この送られてきたジョブの情報によって、これらの像担持体の回転条件を変更することを特徴とする請求項１又は２に記載の画像形成装置。
【請求項４】
画像形成装置が置かれている環境を検知する環境検知手段を有し、検知される環境状態によって、これらの像担持体の回転条件を変更することを特徴とする請求項１から３のいずれかに記載の画像形成装置。
【請求項５】
像担持体を帯電する帯電手段の種類に応じて、像担持体の回転条件が異なることを特徴とする請求項１から４のいずれかに記載の画像形成装置。
【請求項６】
前記ジョブの情報は、画像比率情報、枚数情報、記録材サイズ情報、色情報の少なくとも１つであることを特徴とする請求項３に記載の画像形成装置。
【請求項７】
前記回転条件は、像担持体の回転時間又は回転の有無であることを特徴とする請求項３に記載の画像形成装置。
【請求項８】
前記回転条件は、設定した回転するまでの時間、像担持体の回転時間、又は回転の有無であることを特徴とする請求項４又は５に記載の画像形成装置。
【発明の詳細な説明】
【技術分野】
【０００１】
本発明は、複数の像担持体を有した画像形成装置に関する。特に、タンデム型のカラー画像形成装置に関するものである。
【背景技術】
【０００２】
従来、それぞれ異なる色のトナー画像を形成する複数の画像形成部を中間転写ベルトに沿って並べて配置したタンデム型のカラー画像形成装置が知られている。
【０００３】
この種の画像形成装置では、中間転写ベルトは一次転写ローラによって各画像形成部の像担持体に圧接される。一方、中間転写ベルトには二次転写ローラが圧接していて、中間転写ベルトと二次転写ローラの間に用紙が搬送されるようになっている。各画像形成部で形成された、異なる色のトナー画像が中間転写ベルト上に重ねて一次転写される。この重なったトナー画像が用紙に二次転写される。そして、用紙は定着手段を通過する際にトナー画像の加熱定着を受け、その後、排紙トレイ上に排出されるようになっている。白黒画像形成時には、黒色以外の画像形成部の像担持体から一次転写ローラが離間される。
【０００４】
像担持体から直接、用紙にトナー画像を転写する画像形成装置についての発明ではあるが、白黒画像形成中、黒色以外の像担持体から一次転写ローラが離間され、これらの像担持体を回転させる発明が提案されている（特許文献１）。また、逆に、白黒画像形成中、黒色以外の像担持体から一次転写ローラが離間され、これらの像担持体を回転させない発明が提案されている（特許文献２）。
【特許文献１】特開２００２−０２３４５５号公報
【特許文献２】特開平０９−００６０８８号公報
【発明の開示】
【発明が解決しようとする課題】
【０００５】
しかし、特許文献１では、白黒画像ばかり画像形成された場合、黒色以外の画像形成部の消耗品、例えば、像担持体やクリーニングブレード、帯電ローラなどの寿命が短くなる。酷い場合には、白黒画像しか画像形成していないにも関らず、黒色以外の画像形成部の消耗品が寿命となる可能性がある。
【０００６】
また、特許文献２のように、白黒画像形成中、黒色以外の像担持体を非駆動状態にした場合、消耗品の寿命は長くなる。しかし、非駆動状態の時間によっては、像担持体の回転なしに放置することで、像担持体表面を帯電させるための放電によって発生したオゾンや窒素酸化物（ＮＯｘ）が空気中の物質などと結合して硝酸アンモニウムが生成される。かかる放電生成物が像担持体表面に付着してしまう。そして、像担持体表面に付着した放電生成物は空気中の水分を吸収して像担持体表面の抵抗値を低下させ、画像がボケた状態、若しくは、白抜け状態となる異常画像が発生する。
【０００７】
本発明は、かかる問題点に鑑みてなされたもので、無駄な消耗をなくし、放置することによる異常画像がない画像形成装置を提供することを目的とする。
【課題を解決するための手段】
【０００８】
上記の目的を達成するための本発明に係る画像形成装置の代表的な構成は、画像形成するための回転駆動される像担持体を有し、それぞれ異なる色の画像を形成する複数の画像形成部と、前記複数の画像形成部の像担持体に順次接触するように走行駆動される中間記録媒体と、カラー画像形成時には前記中間記録媒体を介して前記像担持体に圧接して前記複数の画像形成部の像担持体に形成される異なる色の画像を前記中間記録媒体に転写して多重画像を形成し、白黒画像形成時には前記複数の画像形成部のうちの黒色以外の画像形成部の像担持体から離間する一次転写手段と、記録材を介して前記中間記録媒体に圧接して中間記録媒体上の画像を記録材に転写する二次転写手段と、を備え、白黒画像形成時には黒色以外の画像形成部の像担持体を非駆動状態にする画像形成装置において、黒色以外の画像形成部の像担持体の非駆動状態になってからの非駆動状態時間が、それぞれ設定した回転するまでの時間に達した際、これらの像担持体をそれぞれ所定時間回転させる制御モードを有し、前記制御モードにおいて白黒画像形成中の場合は黒色以外の画像形成部の像担持体の回転開始もしくは回転停止のタイミングの少なくとも一方を黒色の画像形成部の像担持体の回転開始もしくは回転停止に同期させること、および、黒色以外の画像形成部の像担持体の非駆動状態になってからの非駆動状態時間に応じて、これらの像担持体の回転する時間を変更することを特徴とする。
【発明の効果】
【０００９】
本発明によれば、無駄な消耗をなくし、放置することによる異常画像がない画像形成装置を提供するができる。
【発明を実施するための最良の形態】
【００１０】
以下、本発明の詳細を図示の実施の形態に基づいて説明する。
【００１１】
［実施例１］
（１）画像形成機構
図１に本発明の一実施例の画像形成装置の断面模式図を示す。この画像形成装置は、電子写真方式、レーザビーム露光方式、中間転写ベルト方式、タンデム型のカラー画像形成装置であり、複写機、プリンタ、ファクシミリとして使用される複合機能機であり、プリンタ部Ａとその上部に搭載のリーダ部Ｂを有する。リーダ部Ｂは原稿画像を三原色に色分解光電読取りする機能を有する。
【００１２】
複写機モードの場合は、リーダ部Ｂから原稿画像の光電読取り画像信号が制御回路部Ｃの画像信号処理部に入力する。画像信号処理部は入力した画像信号をイエロー、シアン、マゼンタ、ブラックに色変換したデジタル画像信号を作成する。この画像信号に基づいてプリンタ部Ａが複写機として機能する。
【００１３】
プリンタモードの場合は、外部装置Ｄであるパソコン等から制御回路部Ｃの画像信号処理部に入力する画像信号が画像処理されてプリンタ部Ａがプリンタとして機能する。
【００１４】
ファクシミリ受信モードの場合は、外部装置Ｄである相手方ファクシミリ装置から制御回路部Ｃの画像信号処理部に入力する画像信号が画像処理されてプリンタ部Ａがファクシミリ受信装置として機能する。
【００１５】
ファクシミリ送信モードの場合は、リーダ部Ｂで光電読取りした原稿の画像信号が制御回路部Ｃに入力して外部装置Ｄである相手方ファクシミリ装置に送信されて画像形成装置がファクシミリ送信装置として機能する。
【００１６】
制御回路部Ｃは画像形成装置を所定のプログラムにしたがって統括的に制御する制御手段（コントローラ）である。
【００１７】
プリンタ部Ａは、図面上左側から右側に水平方向に並列に配設した、画像形成するための像担持体を有し、それぞれ異なる色の画像を形成する複数の画像形成部を備えている。本実施例においては、それぞれ、イエロー（Ｙ）色の画像、マゼンタ（Ｍ）色の画像、シアン（Ｃ）色の画像、ブラック（Ｂｋ）色の画像を形成する、第１から第４の４つの電子写真画像形成部１Ｙ・１Ｍ・１Ｃ・１Ｂｋである。
【００１８】
各画像形成部は、それぞれ、像担持体としてのドラム型の電子写真感光体（以下、感光ドラムと記す）２（Ｙ・Ｍ・Ｃ・Ｂｋ）と、感光ドラムの周囲に配置されていて感光ドラムに作用する画像形成プロセス手段を有している。本実施例において、画像形成プロセス手段は、一次帯電手段３（Ｙ・Ｍ・Ｃ・Ｂｋ）、像露光手段４（Ｙ・Ｍ・Ｃ・Ｂｋ）、現像手段５（Ｙ・Ｍ・Ｃ・Ｂｋ）、一次転写手段６（Ｙ・Ｍ・Ｃ・Ｂｋ）、クリーニング手段７（Ｙ・Ｍ・Ｃ・Ｂｋ）である。一次帯電手段３は帯電ローラを用いている。像露光手段４はレーザスキャナを用いている。第１の画像形成部１Ｙの現像手段５Ｙは現像剤としてＹ色トナーを収容した現像装置である。第２の画像形成部１Ｍの現像手段５Ｍは現像剤としてＭ色トナーを収容した現像装置である。第３の画像形成部１Ｃの現像手段５Ｃは現像剤としてＣ色トナーを収容した現像装置である。第４の画像形成部１Ｂｋの現像手段５Ｂｋは現像剤としてＢｋ色トナーを収容した現像装置である。一次転写手段６は一次転写ローラを用いている。クリーニング手段７は例えばブレード式のクリーニング装置である。
【００１９】
第１から第４の画像形成部１Ｙ・１Ｍ・１Ｃ・１Ｂｋの下方には中間記録媒体ユニット８が配設されている。このユニット８は、各画像形成部１Ｙ・１Ｍ・１Ｃ・１Ｂｋの感光ドラム２（Ｙ・Ｍ・Ｃ・Ｂｋ）に順次接触するように走行駆動（回転駆動）される中間記録媒体（中間転写体）９を有する。本実施例においては、この中間記録媒体９は誘電体製で可撓性を有するエンドレスの中間転写ベルト（以下、ベルトと記す）であり、複数の張架ローラ１０〜１５間に懸回張設されている。各画像形成部１Ｙ・１Ｍ・１Ｃ・１Ｂｋの一次転写ローラ６（Ｙ・Ｍ・Ｃ・Ｂｋ）はベルト９の内側に配設されていて、それぞれ、ベルト９を挟んで対応する感光ドラム２（Ｙ・Ｍ・Ｃ・Ｂｋ）の下面に圧接している。各画像形成部１Ｙ・１Ｍ・１Ｃ・１Ｂｋにおいて、感光ドラム２（Ｙ・Ｍ・Ｃ・Ｂｋ）とベルト９との接触部が一次転写部である。
【００２０】
ベルト９は、駆動ローラとしての張架ローラ１３が回転駆動されることで矢印の時計方向に走行駆動（回転）される。また、二次転写対向ローラとしての張架ローラ１５にはベルト９を挟んで二次転写ローラ１６が圧接されている。この二次転写ローラ１６とベルト９との接触部が二次転写部である。また、クリーナ対向ローラとしての張架ローラ１０の部位にはベルト９の表面にクリーニング部材を接触させてベルトクリーニング装置１７が配設されている。
【００２１】
画像形成装置本体の下部には取り外し自在の第１の給紙カセット１８と第２の給紙カセット１９が配設されている。
【００２２】
１）フルカラー画像を形成する場合
フルカラー画像を形成するカラー画像形成時の動作は次のとおりである。制御回路部Ｃは、画像形成スタート信号に基づいて所定の画像形成シーケンス制御を実行する。即ち、各画像形成部１Ｙ・１Ｍ・１Ｃ・１Ｂｋにおいては、感光ドラム２（Ｙ・Ｍ・Ｃ・Ｂｋ）が矢印の反時計方向に所定の制御速度（プロセススピード）で回転駆動される。ベルト９も矢印の時計方向（感光ドラムの回転に順方向）に、感光ドラム２（Ｙ・Ｍ・Ｃ・Ｂｋ）の速度に対応した速度で回転駆動される。各レーザスキャナ４（Ｙ・Ｍ・Ｃ・Ｂｋ）もポリゴンミラーが駆動される。また、各画像形成部において、それぞれ、所定の制御タイミングで帯電ローラ３（Ｙ・Ｍ・Ｃ・Ｂｋ）に電源部（不図示）から所定の帯電バイアスが印加される。これにより、回転する感光ドラム２（Ｙ・Ｍ・Ｃ・Ｂｋ）の外周面が所定の極性・電位に一様に帯電される。
【００２３】
そして、第１の画像形成部１Ｙのレーザスキャナ４Ｙには制御回路部Ｃからフルカラー画像のＹ色成分画像に対応するデジタル画像信号が所定の制御タイミングで入力される。第２の画像形成部１Ｍのレーザスキャナ４Ｍには制御回路部Ｃからフルカラー画像のＭ色成分画像に対応するデジタル画像信号が所定の制御タイミングで入力される。第３の画像形成部１Ｃのレーザスキャナ４Ｃには制御回路部Ｃからフルカラー画像のＣ色成分画像に対応するデジタル画像信号が所定の制御タイミングで入力される。第４の画像形成部１Ｂｋのレーザスキャナ４Ｂｋには制御回路部Ｃからフルカラー画像のＢｋ色成分画像に対応するデジタル画像信号が所定の制御タイミングで入力される。これにより、各レーザスキャナ４（Ｙ・Ｍ・Ｃ・Ｂｋ）は各感光ドラム２（Ｙ・Ｍ・Ｃ・Ｂｋ）の表面を各色のデジタル画像信号に対応して変調されたレーザ光で走査露光する。この露光により電荷を中和し、各感光ドラム２（Ｙ・Ｍ・Ｃ・Ｂｋ）の表面に対応色の画像信号に応じた静電潜像が形成される。形成された静電潜像が所定の現像バイアスが印加された現像装置５（Ｙ・Ｍ・Ｃ・Ｂｋ）により現像剤としてのトナーの付着でトナー画像として現像（可視化）される。
【００２４】
そして、上記のように、各画像形成部１Ｙ・１Ｍ・１Ｃ・１Ｂｋの感光ドラムに所定の制御タイミングで形成される色トナー画像が、各画像形成部の一次転写部を順次に走行移動するベルト９の表面に順番に所定に重ね合わされて一次転写される。この一次転写は各一次転写ローラ６（Ｙ・Ｍ・Ｃ・Ｂｋ）にそれぞれ所定の制御タイミングで電源部（不図示）から所定の一次転写バイアス（トナーの帯電極性とは逆極性のバイアス）が印加されることで静電的になされる。
【００２５】
この順次の一次転写によりベルト９上にはＹ色＋Ｍ色＋Ｃ色＋Ｋ色の４色重ね合わせのフルカラーの未定着トナー画像（多重画像）が合成形成される。そのトナー画像が引き続くベルト９の回転で二次転写部へ移動する。
【００２６】
各画像形成部１Ｙ・１Ｍ・１Ｃ・１Ｂｋの一次転写部においてベルト９上に転写されなかった感光ドラム２（Ｙ・Ｍ・Ｃ・Ｂｋ）上の転写残トナーなどの残留物はクリーニング装置７（Ｙ・Ｍ・Ｃ・Ｂｋ）により除去される。これにより感光ドラム２（Ｙ・Ｍ・Ｃ・Ｂｋ）の外周面はクリーニングされて繰り返して画像形成に供される。
【００２７】
一方、予め選択指定した、第１の給紙カセット１８、又は第２の給紙カセット１９、又は手差し給紙トレイ２０の何れかの給紙部から給紙ローラ２１によって所定の制御タイミングで紙や合成樹脂等で構成される記録材（転写材：用紙）Ｐが一枚分離給紙される。給紙された記録材Ｐはシートパス２２内を搬送ローラ２３で搬送されてレジストローラ２４に向かって送られる。そして、その記録材Ｐはその時点では回転を停止しているレジストローラ２４のニップ部に対して先端が突き当たり、ループを形成することで斜行矯正を受ける。その後、記録材Ｐはレジストローラ２４が移動するベルト９上のトナー画像の位置と同期して所定の制御タイミングで回転駆動されることで、二次転写部に導入される。これにより、ベルト９上のフルカラーのトナー画像が記録材Ｐの表面に一括して二次転写される。この二次転写は二次転写ローラ１６に所定の制御タイミングで電源部（不図示）から所定の二次転写バイアス（トナーの帯電極性とは逆極性のバイアス）が印加されることで静電的になされる。このように二次転写ローラ１６は記録材Ｐを介して中間記録媒体であるベルト９に圧接してベルト上（中間記録媒体上）の画像を記録材Ｐに転写する。ベルト上の画像はカラー画像形成モードの場合は多重画像であり、次の２）項で説明する白黒画像形成モードの場合は黒画像（Ｂｋトナー画像）である。
【００２８】
二次転写部を出た記録材Ｐはベルト９の面から分離されて、定着装置２５に導入され、定着ローラ２５ａと加圧ローラ２５ｂとの間の定着ニップ部を通過することによって加熱及び加圧によりフルカラーのトナー画像の混色及び記録材面への定着を受ける。定着装置２５を出た記録材Ｐは排紙口２６から排紙トレイ２７に排出される。
【００２９】
また、二次転写部において記録材Ｐ上に転写されなかったベルト９上の転写残トナー等の残留物はベルトクリーニング装置１７により除去される。これによりベルト９の外周面はクリーニングされて繰り返して画像形成に供される。
【００３０】
２）白黒画像を形成する場合
白黒画像を形成する白黒画像形成時の動作は次のとおりである。制御回路部Ｃは白黒画像形モードである場合には、中間記録媒体ユニット８の転換機構（不図示）を動作させる。この転換機構の動作により、図２のように、黒色以外の画像形成部である第１と第２と第３の画像形成部１Ｙ・１Ｍ・１Ｃの一次転写ローラ６（Ｙ・Ｍ・Ｃ）が対応する感光ドラム２（Ｙ・Ｍ・Ｃ）から離間する。また、ベルト９を懸回張設している張架ローラのうち、第１の一次転写面規制ローラとしての張架ローラ１１と、テンションローラとしての張架ローラ１４とが、図２のように、下方に所定に変位移動する。黒色の画像形成部である第４の画像形成部１Ｂｋの一次転写ローラ６Ｂｋは離間移動されることなく対応の感光ドラム２Ｂｋに対する圧接が保持される。また、第３と第４の画像形成部１Ｃと１Ｂｋとの間に配設されている第２の一次転写面規制ローラとしての張架ローラ１２も下方に変位移動されることなく定置に保持される。
【００３１】
これにより、黒色以外の画像形成部である第１と第２と第３の画像形成部１Ｙ・１Ｍ・１Ｃの感光ドラム２（Ｙ・Ｍ・Ｃ）からベルト９の離間が行われる。黒色の画像形成部である第４の画像形成部１Ｂｋは、感光ドラム２Ｂｋに対するベルト９の接触が保持され一次転写部が確保されている状態になる。ベルト９の張りは下方に変位移動したテンションローラ１４により維持される。従って、中間記録媒体ユニット８は、第４の画像形成部１Ｂｋの感光ドラム２Ｂｋからベルト９へのＢｋトナー画像の一次転写のみが可能な状態に転換された状態となる。制御回路部Ｃは黒色の画像形成部である第４の画像形成部１Ｂｋの感光ドラム１Ｂｋを回転させ、この第４の画像形成部１Ｂｋを画像形成動作させる。これにより、白黒画像形モードによる画像形成が実行される。即ち、第４の画像形成部１Ｂｋの感光ドラム２Ｂｋに形成されたＢｋトナー画像が一次転写部でベルト９に一次転写され、そのベルト上のＢｋトナー画像が二次転写部で記録材Ｐ上に二次転写される。
【００３２】
この白黒画像形成中は、一次転写ローラ５（Ｙ・Ｍ・Ｃ）が感光ドラム２（Ｙ・Ｍ・Ｃ）から離間している。そして、画像形成に必要のない使用されていない第１〜第３の画像形成部１Ｙ・１Ｍ・１Ｃについては感光ドラム２（Ｙ・Ｍ・Ｃ）の駆動及び電力供給を停止する。これは、使用されていない第１〜第３の画像形成部１Ｙ・１Ｍ・１Ｃにおける、感光ドラム２（Ｙ・Ｍ・Ｃ）、帯電ローラ３（Ｙ・Ｍ・Ｃ）、クリーニング装置６（Ｙ・Ｍ・Ｃ）のブレード等の消耗品の寿命を考慮してのものである。
【００３３】
制御回路部Ｃは画像形成モードが白黒画像形モードからカラー画像形成モードにされたときは中間記録媒体ユニット８の転換機構を逆動作させて、ユニット８を図２の転換状態から図１の状態に復帰させる。
【００３４】
上記のように一次転写ローラ６（Ｙ・Ｍ・Ｃ・Ｂｋ）は、カラー画像形成時には中間転写ベルト９を介して各感光ドラム２（Ｙ・Ｍ・Ｃ・Ｂｋ）に圧接して各感光ドラムに形成される異なる色の画像をベルト９に転写して多重画像を形成する。また、白黒画像形成時には黒色以外の画像形成部の感光ドラム２（Ｙ・Ｍ・Ｃ）からは離間する。
【００３５】
（２）画像形成部のリフレッシュ
上記のように、白黒画像形成時には、黒以外の画像形成部１Ｙ・１Ｍ・１Ｃについては感光ドラム２（Ｙ・Ｍ・Ｃ）の駆動及び電力の供給停止する。そのため、フルカラーの画像形成後、白黒画像形成をし続けたり、画像形成が行われなかったりし続けると、次のような現象を生じ得る。すなわち、フルカラー画像形成時に、感光ドラム２（Ｙ・Ｍ・Ｃ）の表面を帯電させるための放電によって発生したオゾンや窒素酸化物（ＮＯｘ）が空気中の物質などと結合して硝酸アンモニウムが生成され、かかる放電生成物が感光ドラム表面に付着する。感光ドラム表面に付着した放電生成物は空気中の水分を吸収して感光ドラム表面の抵抗値を低下させる。それが原因となって、次のフルカラー画像形成実行時に画像がボケた状態、若しくは、白抜け状態となる異常画像が発生する。
【００３６】
この現象は、これらの感光ドラム２（Ｙ・Ｍ・Ｃ）が非駆動状態になってからの時間が長ければ長いほど悪化する。
【００３７】
そこで、本実施例では、感光ドラム２（Ｙ・Ｍ・Ｃ）が非駆動状態になってからの時間が予め設定した時間（それぞれ設定した回転するまでの時間）Ｔ１に達した際、これらの感光ドラムをそれぞれ回転（空回転）させる制御モードを制御回路部Ｃに実行させる。設定時間Ｔ１は異常画像が発生する像担持体の非駆動状態時間（放置時間）である。設定時間Ｔ１は例えば２時間位の放置である。
【００３８】
感光ドラムを予め設定の所定時間（所定回転数）Ｔ２だけ空回転させることで、感光ドラム表面に付着した放電生成物をクリーニン装置７（Ｙ・Ｍ・Ｃ）のクリーニングブレード等のクリーニング部材で除去することができる。除去モードの実行時間Ｔ２（ドラム回転数）は、例えば、３０秒くらいの空回転時間である。
【００３９】
この感光ドラムを空回転させる制御モードを除去モードとする。この除去モードにより感光ドラム表面から放電生成物が除去されることで画像形成部のリフレッシュがなされる。従って、次のフルカラー画像形成実行時において、感光ドラム表面の放電生成物に起因する異常画像の発生を防止することができる。
【００４０】
また、感光ドラム２が非駆動状態になってからの時間に応じて、異常画像の発生レベルが異なる。そのため、感光ドラム２の非駆動状態になってからの時間に応じて、感光ドラム２の回転時間を変更しても良い。即ち、黒色以外の画像形成部の像担持体の非駆動状態になってからの時間に応じて、これらの像担持体の回転する時間を変更しても良い。
【００４１】
ここで、黒色以外の画像形成部１Ｙ・１Ｍ・１Ｃについてのみ述べたが、黒色の画像形成部１Ｂｋでも、画像形成が行われない時間（非駆動状態時間）が長くなると、同様な現象が起きる。黒色の画像形成部１Ｂｋの感光ドラム２Ｂｋはフルカラー画像形成時も白黒画像形成時も回転している。そのため、黒色の画像形成部１Ｂｋの感光ドラム２Ｂｋの除去モードの実行については、画像形成終了後からの停止時間が基準となる。
【００４２】
以下、図３を用いて本実施例における効果的な除去モードの実行を説明する。制御回路部Ｃは、各色の画像形成部１Ｙ・１Ｍ・１Ｃ・１Ｂｋの感光ドラム２（Ｙ・Ｍ・Ｃ・Ｂｋ）が非駆動状態になってからの時間をそれぞれの計測手段（不図示）、例えば各色に対応のタイマーで計測する（Ｓ１）。
【００４３】
また、この際、黒色の画像形成部１Ｂｋの感光ドラム２Ｂｋの非駆動状態になってからの時間と、黒色以外の画像形成部１Ｙ・１Ｍ・１Ｃの感光ドラム２（Ｙ・Ｍ・Ｃ）の非駆動状態になってからの時間をそれぞれの計測手段で計測しても良い。例えば、タイマーを２つ設けて計測する。
【００４４】
これは感光ドラムから一次転写ローラが離間する構成をもつ画像形成装置においては、図４に示すように、白黒画像形成などによって、黒色の感光ドラム２Ｂｋと、黒色以外の感光ドラム２Ｙ・２Ｍ・２Ｃとで放置時間に差が生じてしまう。従来のように、画像形成終了後から時間を計測していると、黒色以外の画像形成部１Ｙ・１Ｍ・１Ｃで画像がボケた状態、若しくは、白抜け状態となる異常画像が発生する。
【００４５】
図４は使用しない画像形成装置の像担持体を非駆動状態にした場合における、（ａ）は従来の空回転に入るまでのタイミングチャートで、（ｂ）は本発明の空回転に入るまでのタイミングチャートである。
【００４６】
そこで、この計測手段によって、黒色以外の感光ドラム２（Ｙ・Ｍ・Ｃ）は非駆動状態になってからの時間が、それぞれ設定された時間に達した際（図３：Ｓ２）、除去モードを実行し（Ｓ６）、計測手段の時間をリセットし（Ｓ６）、再スタートさせる（Ｓ１）。
【００４７】
また、最低１つの感光ドラムの非駆動状態になってからの時間が、設定した回転するまでの時間に達した際、すべての感光ドラム２（Ｙ・Ｍ・Ｃ・Ｂｋ）で除去モードを実行し、計測手段の時間をリセットし、再スタートさせても良い。
【００４８】
しかし、図５の（ａ）のように、白黒画像形成から連続、若しくは短期放置後フルカラー画像形成を行う際の際、画像形成動作前に除去モードを実行するための時間が発生する。
【００４９】
そこで、白黒画像形成中であっても、図５の（ｂ）のように制御する。即ち、画像形成に必要のない使用されていない画像形成部１Ｙ・１Ｍ・１Ｃの感光ドラム２Ｙ・２Ｍ・２Ｃが非駆動状態になってからの時間が設定した時間に達したことが計測されたとき（図３：Ｓ２）、感光ドラム２Ｙ・２Ｍ・２Ｃを回転させる（Ｓ３〜６）。
【００５０】
ここで、図３のステップＳ５の「一転着脱」は一次転写ローラ６（Ｙ・Ｍ・Ｃ）が対応する感光ドラム２（Ｙ・Ｍ・Ｃ）に圧接しているか離間しているかの判断ステップである。
【００５１】
また、図５の（ｃ）のように、白黒画像形成終了直前に、使用されていない画像形成部１Ｙ・１Ｍ・１Ｃの感光ドラム２（Ｙ・Ｍ・Ｃ）を回転させる。
【００５２】
更に、図６の（ａ）のように、長期白黒画像形成による放置後のカラー画像形成でも、画像形成動作前に除去モードを実行するための時間が発生する。そのため、白黒画像形成中であっても、図６の（ｂ）のように制御する。即ち、画像形成に必要のない使用されていない画像形成部１Ｙ・１Ｍ・１Ｃの感光ドラム２（Ｙ・Ｍ・Ｃ）の非駆動状態になってからの時間が、設定された回転するまでの時間に達したことが計測されたとき、感光ドラム２（Ｙ・Ｍ・Ｃ）を回転させる。
【００５３】
これらにより、画像形成動作前に除去モードを実行するための時間（前回転時間）が削除され、効率良く画像形成が行える。
【００５４】
感光ドラムの回転開始／停止のタイミングについて説明する。図７は、黒単色の画像をＡ４サイズで１０枚コピーした際の黒と、それ以外の感光ドラムの回転駆動を模式的に示したものである。その場合、（ａ）のように、回転の動作タイミングについては、黒色の感光ドラム２Ｂｋの回転開始／停止のタイミングと同期しても良い。若しくは、（ｂ）や（ｃ）のように、回転開始するタイミング又は、回転停止するタイミングの少なくとも一方が異なるように制御しても良い。図７において、黒色以外の感光ドラム駆動の回転は除去モードである。（ａ）は白黒画像形成が行われている間、黒色以外の感光ドラム駆動の回転（除去モード）をし続ける。無駄な消耗ではあるが、黒色作像中に黒色以外の感光ドラムの除去モードを行うと、駆動/停止時に振動が発生して画が乱れたりする。また、黒色作像の枚数が少なかったり、除去モードが長かったりする場合、回転が同期する可能性もある。
【００５５】
更に、本発明の効果を得るためには、（ｄ）のように、黒色の感光ドラム２Ｂｋの回転開始／停止のタイミングと異なるのも良い。これにより白黒の画像形成が長時間を行われても、無断な時間を削減し、効果的な除去モードを行う事が可能である。
【００５６】
これは、白黒画像形成の場合、画像形成に必要のない使用されていない画像形成部１Ｙ・１Ｍ・１Ｃの感光ドラム２Ｙ・２Ｍ・２Ｃから一次転写ローラ６Ｙ・６Ｍ・６Ｃが離間している。そのため、感光ドラム２Ｙ・２Ｍ・２Ｃを白黒画像形成中に回転させても他の問題は発生しないためである。これにより、白黒画像形成からフルカラー画像形成を行う際、フルカラー画像形成動作前に除去モードを実行せずに、すぐにフルカラー画像形成が可能となった。
【００５７】
さらに、感光ドラムまわりの湿度が高いと、感光ドラムに付着した画像流れ物質が低抵抗化して異常画像が発生しやすくなる。そこで、画像形成装置本体内、特に感光ドラムの近傍に、画像形成装置が置かれている環境を検知する環境検知手段（湿度センサ）Ｅ（図１、図２）を設ける。制御回路部Ｃは、その環境検知手段Ｅで検知される環境状態によって除去モードを制御する構成にすることもできる。たとえば、環境検知手段Ｈによって画像形成装置本体内の湿度が所定値以上となったことが検知されたとき、除去モードを実行するように構成すれば、異常画像の発生を未然に防ぎ、消耗品の長寿命化になる。
【００５８】
また、制御回路部Ｃは、この環境検知手段Ｅによって検知された画像形成装置本体内の湿度によって、像担持体の回転条件を変更する構成にすることもできる。即ち、除去モードを実行する時間（像担持体の回転時間）や実行するまでの時間（設定した回転するまでの時間）、像担持体の回転の有無を制御するように構成すれば、更に、効率の良く除去モードを行う事ができる。即ち、画像形成に必要のない使用されていない画像形成部１Ｙ・１Ｍ・１Ｃについて、それぞれの一次転写ローラ６Ｙ・６Ｍ・６Ｃを感光ドラム２Ｙ・２Ｍ・２Ｃから離間している。これにより、感光ドラム２Ｙ・２Ｍ・２Ｃや帯電ローラ３Ｙ・３Ｍ・３Ｃ、クリーニング装置７Ｙ・７Ｍ・７Ｃのクリーニング部材等の消耗品の寿命が考慮され、効率の良く除去モードを行う事ができる。
【００５９】
更に、像担持体を帯電する帯電手段の種類に応じて、像担持体の回転条件、設定した回転するまでの時間、像担持体の回転時間、又は回転の有無が異なる構成にする。即ち、帯電手段によって、除去モードを実行する時間や実行するまでの時間を制御するように構成すれば、更に、効率の良く除去モードを行う事ができる。画像形成に必要のない使用されていない画像形成部１Ｙ・１Ｍ・１Ｃについて、それぞれの一次転写ローラ６Ｙ・６Ｍ・６Ｃを感光ドラム２Ｙ・２Ｍ・２Ｃから離間している。これにより、感光ドラム２Ｙ・２Ｍ・２Ｃや帯電ローラ３Ｙ・３Ｍ・３Ｃ、クリーニング装置７Ｙ・７Ｍ・７Ｃのクリーニング部材等の消耗品の寿命が考慮され、効率の良く除去モードを行う事ができる。
【００６０】
本実施例では全ての色の画像形成部の帯電手段が帯電ローラであったが、帯電ローラとコロナ帯電器を備えた画像形成部の組み合わせの画像形成装置や、同じ帯電ローラでも接触と非接触を備えた画像形成部の組み合わせの画像形成装置でも良い。上記以外の組み合わせだけでなくても良く、それぞれの画像形成部で除去モードを実行する時間や実行するまでの時間が同じでも異なっても良い。
【００６１】
また、制御回路部Ｃは、黒色以外の画像形成部の像担持体の非駆動状態になってからの時間が、設定した回転するまでの時間に達し、かつ、白黒画像形成中に次のジョブが画像形成装置に送られた場合、次のような制御をするように構成することもできる。すなわち、送られてきたジョブの情報によって、これらの像担持体の回転条件を変更する。ジョブの情報は、画像比率情報、枚数情報、記録材サイズ情報、色情報情報の少なくとも１つである。また、回転条件は、像担持体の回転時間又は回転の有無である。
【００６２】
以上説明したように、黒色以外の画像形成部の像担持体の非駆動状態になってからの時間が設定した時間に達した際、白黒画像形成中であっても、これらの像担持体が一次転写手段から離間されている状態である時、これらの像担持体を回転させるのが好ましい。
【００６３】
また、黒色以外の画像形成部の像担持体の非駆動状態になってからの時間、白黒画像形成中の次のジョブの内容によって、これらの像担持体の回転の有無や回転時間、設定された回転するまでの時間を変更するのが好ましい。
【００６４】
更に、画像形成装置が置かれている湿度、像担持体を帯電する帯電手段の種類によって、これらの像担持体の回転時間や回転の有無、設定された回転するまでの時間を変更することが好ましい。
【００６５】
黒色以外の画像形成部の像担持体の非駆動状態になってからの時間が設定した回転するまでの時間に、それぞれ達した際、これらの像担持体をそれぞれ回転させる。これにより、無駄な像担持体の回転を抑え、黒色以外の画像形成部の消耗を抑え、効率良く放置による異常画像の発生を防止する事ができる。
【００６６】
更に、白黒画像形成中に、これらの像担持体を回転させる事で、放置によって蓄積された放電生成物を像担持体表面から除去するための画像形成する前段階の像担持体の回転の必要がなくなり、すぐにカラー画像を得る事ができる。
【００６７】
また、これらの像担持体が非駆動状態になってからの時間や、白黒画像形成中の次のジョブの内容、画像形成装置が置かれている湿度、像担持体を帯電する帯電手段の種類によって、これらの像担持体の回転の有無や回転時間を変更する。あるいは、設定されている回転するまでの時間を変更する。これによって、黒色以外の画像形成部の消耗をより抑え、より効率良く放置による像担持体上の画が乱れてしまう現象を防止する事ができる。
【００６８】
本発明は、複数の像担持体とそれらの像担持体と中間転写体とが離間する機構を有した画像形成装置に関する。特に、タンデム型のカラー画像形成装置に適用可能であり、複写機、プリンタ、ファクシミリ又はこれらを適宜組み合わせた複合機などの画像形成装置に広く適用できるものである。
【００６９】
像担持体は、静電記録プロセスにより画像を形成する静電記録誘電体、磁気記録プロセスにより画像を形成する磁気記録磁性体であってもよい。
【図面の簡単な説明】
【００７０】
【図１】実施例の画像形成装置の概略構成を示す模型図である。
【図２】中間記録媒体ユニットが白黒画像形成モード実行状態に転換されている画像形成装置の概略構成を示す模型図である。
【図３】制御フローチャートである。
【図４】（ａ）は、使用しない画像形成装置の像担持体を非駆動状態にした場合における従来の空回転に入るまでのタイミングチャート、（ｂ）は実施例の空回転に入るまでのタイミングチャートである。
【図５】（ａ）は、使用しない画像形成装置の像担持体を非駆動状態にした場合における従来の白黒画像作成後から次のカラー画像作成まで長期放置時間を有する際のタイミングチャートである。（ｂ）と（ｃ）は実施例の白黒画像作成後から次のカラー画像作成まで長期放置時間を有する際のタイミングチャートである。
【図６】（ａ）は、使用しない画像形成装置の像担持体を非駆動状態にした場合における従来の白黒画像作成後から次のカラー画像作成まで連続して行う際のタイミングチャートである。（ｂ）は実施例の白黒画像作成後から次のカラー画像作成まで連続して行う際のタイミングチャートである。
【図７】実施例の黒色の像担持体とそれ以外の像担持体の回転開始／停止のタイミングチャートであり、（ａ）は黒色の像担持体とそれ以外の像担持体の回転開始／停止のタイミングが同じ場合である。（ｂ）と（ｃ）は黒色の像担持体とそれ以外の像担持体の回転開始／停止のタイミングがどちらか一方異なる場合である。（ｄ）は黒色の像担持体とそれ以外の像担持体の回転開始／停止のタイミングが異なる場合である。
【符号の説明】
【００７１】
１（Ｙ・Ｍ・Ｃ・Ｂｋ）・・画像形成部
２（Ｙ・Ｍ・Ｃ・Ｂｋ）・・感光ドラム
３（Ｙ・Ｍ・Ｃ・Ｂｋ）・・帯電ローラ
４（Ｙ・Ｍ・Ｃ・Ｂｋ）・・レーザスキャナ
５（Ｙ・Ｍ・Ｃ・Ｂｋ）・・現像装置
６（Ｙ・Ｍ・Ｃ・Ｂｋ）・・一次転写ローラ
７（Ｙ・Ｍ・Ｃ・Ｂｋ）・・ドラムクリーニング装置
８・・中間記録媒体ユニット
９・・中間記録媒体（中間転写ベルト）
１５・・二次転写対向ローラ
１６・・二次転写ローラ
１７・・ベルトクリーニング装置
１１，１２・・一次転写面規制ローラ
１４・・テンションローラ
【図４】
0005197077.tif 000002
【図１】
0005197077.tif 000003
【図２】
0005197077.tif 000004
【図３】
0005197077.tif 000005
【図５】
0005197077.tif 000006
【図６】
0005197077.tif 000007
【図７】
0005197077.tif 000008